(57)【特許請求の範囲】
【請求項１】
複数の業務を複数の物理計算機で実行する計算機システムの情報を管理する管理システムの情報を出力する情報出力方法において、
前記計算機システムで実行される業務に対応する業務構成情報と、前記業務構成情報に関連する論理構成情報と、前記論理構成情報に関連する物理構成情報の情報を管理計算機の記憶装置に格納し、
ユーザ毎に、前記業務構成情報、前記論理構成情報、前記物理構成情報のうち当該ユーザが参照可能な情報の組み合わせを特定する組み合わせ情報を含むユーザ管理情報を前記管理計算機の前記記憶装置に格納し、
前記管理計算機からの情報のうち出力を制御する制御手段を備えた管理計算機において、
前記制御手段により、前記業務構成情報と前記論理構成情報と前記物理構成情報との組み合わせ、前記業務構成情報と前記論理構成情報との組み合わせのうちのいずれか１つの組み合わせを、ログイン中のユーザに応じた前記ユーザ管理情報に記憶する組み合わせ情報に基づいて、選択して出力するとともに、
前記選択して出力した情報に基づいて、前記業務構成情報と関連する前記論理構成情報と、前記論理構成情報と関連する前記物理構成情報との対応関係を示す情報を、選択的に出力手段に出力する
ことを特徴とする情報出力方法。
【請求項２】
業務構成表示領域、論理構成表示領域または物理構成表示領域の何れかの構成表示領域を複数表示する際に前記出力手段の出力領域を分割し、その分割された各出力領域へそれぞれの構成表示領域を前記出力手段により表示することを特徴とする請求項１に記載された情報出力方法。
【請求項３】
前記業務構成表示領域、前記論理構成表示領域または前記物理構成表示領域の何れかの構成表示領域を複数表示する際に、各構成表示領域の構成表示間の関連を示す関連線を前記出力手段により表示することを特徴とする請求項２に記載された情報出力方法。
【請求項４】
前記構成表示領域に表示されている構成情報に応じて、イベントのメッセージを前記出力領域のイベントコンソール領域へ前記出力手段により表示することを特徴とする請求項２または請求項３のいずれかに記載された情報出力方法。
【請求項５】
前記論理構成表示領域に表示されている論理構成情報に関係するイベントのメッセージを前記出力領域のイベントコンソール領域へ表示する際に、当該論理構成情報に関連する物理構成情報のメッセージをその論理構成情報へのメッセージに変換して前記出力手段により表示することを特徴とする請求項４に記載された情報出力方法。
【請求項６】
前記計算機システムから受信したイベントの種類に応じて、前記業務構成表示領域、論理構成表示領域または物理構成表示領域の構成情報の表示属性を前記出力手段により変更することを特徴とする請求項２乃至請求項５のいずれか１項に記載された情報出力方法。
【請求項７】
ユーザのログアウト時に前記出力領域の表示内容を示す情報を記憶装置に格納し、次回のログイン時に前記格納した情報を基に出力領域への表示を行うことを特徴とする請求項２乃至請求項６のいずれか１項に記載された情報出力方法。
【請求項８】
複数の業務を複数の物理計算機で実行する計算機システムの情報を管理する情報を出力する情報出力システムにおいて、
前記計算機システムで実行される業務に対応する業務構成情報と、前記業務構成情報に関連する論理構成情報と、前記論理構成情報に関連する物理構成情報の情報を格納するとともに、
ユーザ毎に、前記業務構成情報、前記論理構成情報、前記物理構成情報のうち当該ユーザが参照可能な情報の組み合わせを特定する組み合わせ情報を含むユーザ管理情報を格納する管理計算機の記憶装置と、
前記管理計算機からの情報のうち出力を制御する制御手段を備えた管理計算機において、
前記制御手段により、前記業務構成情報と前記論理構成情報と前記物理構成情報との組み合わせ、前記業務構成情報と前記論理構成情報との組み合わせのうちのいずれか１つの組み合わせを、ログイン中のユーザに応じた前記ユーザ管理情報に記憶する組み合わせ情報に基づいて、選択して出力するとともに、
前記選択して出力した情報に基づいて、前記業務構成情報と関連する前記論理構成情報と、前記論理構成情報と関連する前記物理構成情報との対応関係を示す情報を、選択的に出力手段に出力する
ことを特徴とする情報出力システム。
【請求項９】
複数の業務を複数の物理計算機で実行する計算機システムの情報を管理する管理システムの情報を出力する情報出力方法をコンピュータに実行させるプログラムにおいて、
前記計算機システムで実行される業務に対応する業務構成情報と、前記業務構成情報に関連する論理構成情報と、前記論理構成情報に関連する物理構成情報の情報を管理計算機の記憶装置に格納し、
ユーザ毎に、前記業務構成情報、前記論理構成情報、前記物理構成情報のうち当該ユーザが参照可能な情報の組み合わせを特定する組み合わせ情報を含むユーザ管理情報を前記管理計算機の前記記憶装置に格納し、
前記管理計算機からの情報のうち出力を制御する制御手段を備えた管理計算機において、
前記制御手段により、前記業務構成情報と前記論理構成情報と前記物理構成情報との組み合わせ、前記業務構成情報と前記論理構成情報との組み合わせのうちのいずれか１つの組み合わせを、ログイン中のユーザに応じた前記ユーザ管理情報に記憶する組み合わせ情報に基づいて、選択して出力するとともに、
前記選択して出力した情報に基づいて、前記業務構成情報と関連する前記論理構成情報と、前記論理構成情報と関連する前記物理構成情報との対応関係を示す情報を、選択的に出力手段に出力することを
コンピュータに実行させることを特徴とするプログラム。
【発明の詳細な説明】
【技術分野】
【０００１】
本発明はコンピュータシステムで実行している業務の状態を物理構成と論理構成との対で管理する情報出力技術に関し、特にシステム運用管理者の権限や視点に応じてシステム情報の出力を制御する情報出力技術に適用して有効な技術に関するものである。
【背景技術】
【０００２】
コンピュータシステムの運用管理では、システム内に存在するITリソース（サーバ、ストレージ機器、ネットワーク機器、データベース等のコンピュータ機器）に割り当てた名称で管理／監視を行っていたが、システム上の障害による業務への影響範囲の把握の為に、業務の実行に必要なITリソースを、業務・組織・アプリケーションといったビジネスの観点で論理化、グループ化し、論理的な名称での業務視点での管理／監視が求められている。
【０００３】
そこで、監視システムを、システムで実行している業務プログラムを構成する業務レイヤ、業務の実行に必要なITリソースを論理名称で定義・管理する論理レイヤ、業務が実行されるITリソースを定義する物理レイヤとして定義することで、ITリソースを管理するインフラ管理者や業務を管理する業務管理者といった管理者の権限に応じた視点でシステムを管理／監視することが可能となった。
【０００４】
また、分散システムの運用保守を効果的、経済的かつ計画的に行える様にした分散システム運用保守支援装置として、分散システムのエンドユーザが最も重要であると考えている業務が何であるかについての情報とそれに付随する情報を取得し、エンドユーザにとって優先されるべき運用保守が正しく実施されることを保証することも行われている（例えば特許文献１参照）。
【０００５】
【特許文献１】特開平１０−８３３８２号公報
【発明の開示】
【発明が解決しようとする課題】
【０００６】
従来は、レイヤ毎に監視画面が分かれており、障害の内容の把握や障害による影響範囲の把握を行う場合に、複数のレイヤの監視画面を切り替え、参照しなければならず、画面間の関連も把握しづらいものであった。
【０００７】
また、業務に関するITリソースの監視を行う場合には、業務に関連するITリソースの物理情報を予め定義しておき、ITリソース障害時に業務システムの管理者へ通知する手段等があるが、事前に業務に関連するITリソースの情報をユーザが設定する必要があり、システム変更等に伴うITリソースの変更時には、業務の監視設定まで影響が及んでしまうという問題がある。
【０００８】
本発明の目的は上記問題を解決し、複数の業務を実行する計算機システムで業務の監視を行う場合または障害が発生した場合に、その内容の把握や障害による影響範囲の把握を効率的に行うことが可能な技術を提供することにある。
【課題を解決するための手段】
【０００９】
本発明は、複数の業務を実行する計算機システムの情報を表示する情報表示システムにおいて、業務に対応する業務構成情報、論理構成情報及び物理構成情報を、それぞれ出力領域内の業務構成表示領域、論理構成表示領域及び物理構成表示領域に表示するものである。
【００１０】
本発明の情報表示システムでは、各ユーザが参照可能な業務を示す情報としてユーザ管理情報を作成してユーザ管理処理部で管理し、また、業務に対応する業務構成情報、業務構成情報に関連する論理構成情報、論理構成情報に関連する物理構成情報を作成し、それらの情報を構成管理処理部で管理する様にしておく。
【００１１】
そして、情報表示システムの画面制御処理部は、複数の業務を実行する計算機システムの情報表示要求を受け取ると、ログインユーザが参照可能な業務サービスの名称をユーザ管理情報から取得した後、その取得した業務サービス名に対応する業務構成情報を取得して当該業務構成情報を出力画面内の業務構成表示領域に表示する。
【００１２】
次に画面制御処理部は、構成管理処理部により業務構成情報に関連する論理構成情報を取得して当該論理構成情報を論理構成表示領域に表示し、また、構成管理処理部により論理構成情報に関連する物理構成情報を取得して当該物理構成情報を物理構成表示領域に表示する。
【００１３】
前記の様に本発明の情報表示システムでは、ログインユーザの参照可能な業務について、その業務に対応する業務構成情報、論理構成情報や物理構成情報をそれぞれの構成情報に対応した構成表示領域に表示するので、業務レイヤ、論理レイヤ及び物理レイヤの各情報の内で関連しているものを出力領域にまとめて表示することが可能であり、ユーザによる各情報の内容や障害時の影響範囲の把握を支援することができる。
【発明の効果】
【００１４】
本発明によれば、複数の業務を実行する計算機システムで業務の監視を行う場合または障害が発生した場合に、その内容の把握や障害による影響範囲の把握を効率的に行うことが可能である。
【発明を実施するための最良の形態】
【００１５】
以下に複数の業務を実行する計算機システムの情報を表示する一実施形態の情報表示システムについて説明する。
【００１６】
図１は本実施形態の情報表示システムの全体構成を示す図である。図１に示す様に、管理コンピュータ１００は、画面制御処理部１０１と、ユーザ管理処理部１０２と、構成管理処理部１０３と、イベント処理部１０４と、通信処理部１０５を有している。
【００１７】
画面制御処理部１０１は画面管理情報１１１を保持しており、ユーザの画面操作や取得イベントに基づいてユーザに表示する出力情報の制御を管理する処理部である。ユーザ管理処理部１０２はユーザ管理情報を保持しており、ユーザの業務に対する参照権限を管理する処理部である。構成管理処理部１０３は、業務構成情報１１３、論理構成情報１１４、物理構成情報１１５を保持しており、ITリソースの構成情報や、業務の構成情報の関連付けを業務コンピュータ１２０から取得し、常に最新の構成を管理する処理部である。イベント処理部１０４はイベントＤＢ１１６を保持し業務コンピュータ１２０からのイベントを管理する処理部である。
【００１８】
業務コンピュータ１２０はイベントや構成情報を送信するエージェント１２１と業務実行を管理する業務ＡＰ制御部１２２、オペレーティングシステム（以下、ＯＳと記す）や業務アプリケーションプログラム（以下、業務ＡＰと記す）や業務ＡＰの一つの実施形態であるバッチやデータベース管理システムやサービス等の監視対象１２３を有する。
【００１９】
本実施形態において、前記処理部としてコンピュータを機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００２０】
また前記コンピュータは、前記処理部として当該コンピュータを機能させる為のプログラムや、業務ＡＰ、ＯＳ等の処理を実行するＣＰＵ、前記プログラムをロードしたり実行時のデータを一時的に格納するメモリ、それらのプログラムや前記情報を格納する磁気ディスク装置、操作指示やデータ等の入力を受け付ける入力装置、各種情報の出力等を行う出力装置、他のコンピュータとの通信を行う通信装置等のハードウェア資源を備えているものとする。
【００２１】
図２は本実施形態のクライアント１３０に出力する画面の画面構成を示す図である。図２に示す様に本実施形態の画面構成要素は、業務構成表示領域２０１、論理の構成要素を関連付けて表示する論理構成表示領域２０２、物理の構成を表示する物理構成表示領域２０３、構成要素に関連するイベントメッセージを表示するイベントコンソール領域２０４、画面表示領域を切り替える表示レイヤ切り替え領域２０５、構成情報の一覧を表示する構成情報一覧表示領域２０６を有している。
【００２２】
業務構成表示領域２０１には、業務の構成要素となる業務構成情報２０７と構成情報間の関連付を表示する。論理構成表示領域２０２には論理の構成要素となる論理構成情報２０８と構成情報間の関連付けを表示する。物理構成表示領域２０３には物理の構成要素となる物理構成情報２０９と構成情報間の関連付を表示する。表示領域間を跨った関連情報は、点線で表示される。１つの構成情報に対して、複数の構成情報との関連が存在する場合には、複数の構成情報をグループでまとめた形で表示する。イベントコンソール領域２０４には、イベントメッセージのメッセージ内容と、イベント発行元のホストを表示する。
【００２３】
また、表示レイヤ切り替え領域２０５は「業務構成」「論理構成」「物理構成」の選択項目があり、選択することによって、業務構成表示領域２０１・論理構成表示領域２０２・物理構成表示領域２０３の表示・非表示を行うことが可能である。また選択項目は複数項目選択も可能である。
【００２４】
図２８〜図３３は画面例を示したものである。また図３４はイベントＤＢ１１６の中身を表したものである。
【００２５】
図２８は本実施形態の「業務サービス名=勤休システム」の監視を行うユーザが、レイヤ切り替え領域の「業務構成」を選択した場合の画面表示例を示す図である。画面には業務構成表示領域が表示され、その中に勤休システムの業務アプリケーションである業務構成情報（勤休Ｗｅｂ・勤休ＡＰ・勤休ＤＢ）がそれぞれの構成情報の関連を表した形で表示される。また構成情報一覧表示領域には、業務構成情報の一覧が表示され、業務構成情報に関連するメッセージのみがメッセージコンソール領域に表示される。
【００２６】
図２９は本実施形態の図２８のユーザが表示レイヤ切り替え領域２０５の「業務構成」と「論理構成」を選択した場合の画面表示例を示す図である。図２８の業務構成表示領域に加えて論理構成表示領域が表示される、論理構成表示領域には、業務構成情報の論理リソースを表す論理構成情報が表示される。
【００２７】
図２９では、物理構成情報（勤休Ｗｅｂ）に対して論理リソースを表す論理構成情報（勤休ＷｅｂサーバＡ）が表示され、関連線が表示される。物理構成情報（勤休ＤＢ）に対しては実行先ホストの論理リソースを表す論理構成情報（勤休ＤＢサーバＡ）が表示され、関連線が表示される。業務構成情報（勤休ＡＰ）に対しては、負荷分散が行われているため複数の論理リソース（勤休ＡＰサーバＡ・勤休ＡＰサーバＢ・勤休ＡＰサーバＣ）が表示され、更に勤休ＡＰサーバＡ・勤休ＡＰサーバＢ・勤休ＡＰサーバＣはグループで囲まれて表示され、勤休ＡＰとの関連付けが表示される。
【００２８】
また構成情報一覧表示領域には、業務構成情報と論理構成情報の一覧が表示され、業務構成情報と論理構成情報に関連するメッセージがイベントコンソール領域に表示される。論理構成情報に関係するITリソースに関するイベントは、論理構成情報で設定された名称に変換されて表示される。
【００２９】
図３０は本実施形態の図２９のユーザが表示レイヤ切り替え領域２０５の「業務構成」と「論理構成」と「物理構成」を選択した場合の画面表示例を示す図である。図３０では図２９に加えて、論理構成情報の物理リソースを表す構成情報が表示される。
【００３０】
物理構成表示領域には論理構成情報（勤休ＷｅｂサーバＡ）に対しての物理リソースを表す物理構成情報（HOST_A）が表示され、論理構成情報（勤休ＡＰサーバＡ・勤休ＡＰサーバＢ・勤休ＡＰサーバＣ）に対しての物理リソースを表す物理構成情報（HOST_B・HOST_C・HOST_D）が表示される。論理構成情報（勤休ＤＢサーバＡ）に対しては、物理的なクラスタリングが行われているため、複数の物理リソース（HOST_E・HOST_F）が表示され、更にHOST_E・HOST_Fはグループで囲まれて表示され、勤休ＤＢサーバＡとの関連付けが表示される。
【００３１】
また構成情報一覧表示領域には、業務構成情報・論理構成情報・物理構成情報の一覧が表示される。
【００３２】
また図２８では、ITリソースに関するイベントは論理構成情報で設定された名称に変換したイベントとして出力されるが、ユーザのメッセージ優先度の設定に従って、論理構成情報で設定された名称に変換したイベントとして出力することも、ITリソースの物理的な名称で出力することも可能である。
【００３３】
図３１は本実施形態の構成情報が選択された場合の画面表示例を示す図である。勤休ＡＰが選択された場合には、勤休ＡＰに関連する（勤休ＡＰサーバＡ・勤休ＡＰサーバＢ・勤休ＡＰサーバＣ）に該当するメッセージがイベントコンソール領域に表示される。
【００３４】
以上により、ユーザはユーザ自身が監視したい画面領域だけを監視することが可能となり、画面上にはユーザが監視したい領域に関するメッセージだけを表示することが可能となる。
【００３５】
図３２は本実施形態の業務プログラム自身が異常終了したときの例を示す図である。図３２では、業務プログラム（勤休Ｗｅｂ）自身が異常終了し、業務失敗のイベントを受け取ることにより、業務構成表示領域の業務構成情報（勤休Ｗｅｂ）の状態が遷移し、その表示属性（表示色）を変更している。
【００３６】
物理構成情報の状態、すなわち論理構成情報の勤休ＷｅｂサーバＡの状態が正常であることを確認することによって、業務プログラム自身が異常終了したことが一目で判る。
【００３７】
図３３は本実施形態の物理的な障害が起こったことにより、業務プログラムが異常終了した時の例を示す図である。図３３に示す様に、物理的な障害（HOST_Aでサーバダウン）起こったことにより、業務プログラム（勤休Ｗｅｂ）が異常終了した場合には、物理構成情報（HOST_A）・論理構成情報（勤休ＷｅｂサーバＡ）・業務構成情報（勤休Ｗｅｂ）状態が遷移し、ここでは物理構成情報（HOST_A）に対応する勤休ＷｅｂサーバＡの表示属性が変更されていることから、物理障害により業務プログラムが異常終了したことが一目で判る。
以上の様に本実施形態の情報表示システムでは、障害時の問題となっている原因判定を容易に行うことが可能となる。
【００３８】
図３４は本実施形態のイベントＤＢ１１６のデータ例を示す図である。図３４に示す様に本実施形態のイベントＤＢ１１６は、イベントの発生箇所を示す発生元と、そのイベントの発生した時刻と、そのイベントの発生時に生成されたメッセージと、そのイベントの種別を示すイベント種別とを有しており、前記画面表示の際にイベントコンソール領域へ表示されるメッセージを格納している。
【００３９】
図３〜図７は上記画面制御を実現する為の情報である。
図３は本実施形態のユーザ管理情報１１２の詳細を示す図である。図３に示す様にユーザ管理情報１１２は、ログイン可能なユーザの名前を示すユーザ名３０１、業務構成を表示する権限があるかどうかを示す業務構成表示３０２、論理構成を表示する権限があるかどうかを示す論理構成表示３０３、物理構成を表示する権限があるかどうかを示す物理構成表示３０４、参照可能な最下層の構成の種別を示す構成種別３０５、そのユーザが対象とする業務を示す対象業務３０６を格納している。
【００４０】
業務構成表示３０２、論理構成表示３０３、物理構成表示３０４の「◎」は、その構成の表示がログイン時のデフォルトとなることを示し、「○」は、その構成がユーザの画面操作によって参照できる構成レイヤであることを示しており、「×」は、その構成について、当該ユーザによる参照が不可であることを表している。また、対象業務３０６には業務サービス名が含まれており、複数の業務を設定することが出来る。
【００４１】
図４は本実施形態の画面管理情報１１１の詳細を示す図である。図４に示す様に画面管理情報１１１は、画面を識別する為の画面ＩＤ４０１、画面に表示された業務の名称を示す業務サービス名４０２、画面要求を行ったユーザまたはユーザの属するグループの名称を示すユーザ／グループ名４０３、管理コンピュータ１００にログインしているかどうかを表すログイン状況４０４を格納している。
【００４２】
図５は本実施形態の業務構成情報１１３の詳細を示す図である。業務構成情報とは、業務を構成する業務アプリケーションの情報及び状態とアプリケーション間の関係を表す情報である。図５に示す様に業務構成情報１１３は、その業務の名称を示す業務サービス名５０１と、その業務を構成する要素を示す業務構成５０２を格納しており、またそれらの業務要素について、業務要素を識別する為の業務要素ＩＤ５０３、その業務要素の名称を示す業務構成要素５０４、その業務要素に関連する業務要素の番号を示す業務要素関連情報５０５、その業務要素に関連する論理要素を示す論理要素関連情報５０６を保持している。ここで、論理要素関連情報５０６は、論理情報とのリレーションを持っており論理要素名を保持している。
【００４３】
図６は本実施形態の論理構成情報１１４の詳細を示す図である。論理構成情報とは、業務で利用するリソースを仮想化された論理的な名称である論理サーバ名を使用して業務ＡＰ名とその論理サーバで稼働する業務ＡＰ制御名の関係を表す情報である。図６に示す様に論理構成情報１１４は、論理要素を識別する為の論理要素ＩＤ６０１、論理サーバの名称を示す論理サーバ名６０２、業務ＡＰの制御名を示す業務ＡＰ制御名６０３、業務ＡＰの名称を示す業務ＡＰ名６０４、その論理要素に関連する物理ホストのアドレスを示すＩＰアドレス６０５、その論理要素に関連する論理要素の番号を示す論理要素関連情報６０６を格納している。
【００４４】
図７は本実施形態の物理構成情報１１５の詳細を示す図である。物理構成情報とは、エージェントが稼働するＩＴリソースのホスト名、ＩＰアドレスと業務ＡＰの制御名の関係を示す情報である。図７に示す様に物理構成情報１１５は、その物理ホストの名称を示すホスト名７０１、その物理ホストのアドレスを示すＩＰアドレス７０２、その物理ホストでのエージェント処理の有無を示すエージェント処理有無フラグ７０３、業務ＡＰの制御名を示す業務ＡＰ制御名７０４、その物理ホストでクラスタ構成が組まれているかどうかを示すクラスタ情報７０５、クラスタの状態を表す状態７０６を格納している。
【００４５】
以下、本実施形態の情報表示システムにおいて、上記画面制御を実現する為の各処理部の処理手順について詳細に説明する。
図８は本実施形態の画面制御処理部１０１における外部要求に対する処理の詳細を示す図である。図８に示す様に本実施形態の画面制御処理部１０１は、起動すると、画面管理情報１１１を記憶装置上に作成し（８０１）、画面操作要求待ちのループに入り、ユーザからの入力や、イベント受信等の要求が入力装置により送られて来るまで待機する（８０２）。
【００４６】
画面制御処理部１０１に対して入力装置により要求が入ってくると、その要求内容を検査し、それ後、要求内容に応じた処理を行う（８０３）。
要求の種類としては、「ログイン要求」、「表示フラグ変更要求」、「要素選択要求」、「イベント受信要求」、「ログアウト要求」があり、「ログイン要求」を受け取るとログイン要求処理（図９）を実行し（８０４）、「表示フラグ変更要求」を受け取ると、画面表示領域の変更処理（図１０）を実行し（８０５）、「要素選択要求」を受け取ると、選択構成情報のフィルタリング処理（図１９）を実行し（８０６）、「イベント受信要求」を受け取ると、イベント画面表示処理（図２０）を実行し（８０７）、「ログアウト要求」を受け取ると、ログアウト要求処理を実行する（８０８）。また「終了要求」を受け取ると、処理を終了する。
【００４７】
図９は本実施形態の画面制御処理部１０１におけるログイン要求処理(８０４)の概略を示す図である。図９に示す様にログイン要求処理(８０４)では、ユーザ要求出力画面処理が実行され、そのユーザ要求出力画面処理では、要求を受け取ると、ユーザ管理情報１１２(図３参照)からログインユーザが参照可能な業務サービス名とデフォルトとなっている構成表示の情報を取得し（９００）、選択されたユーザ・業務サービス名に関する画面が既に作成されているかどうかを画面管理情報１１１を参照して調べる（９０１）。
【００４８】
既に前記画面が作成されている場合には、対象となる画面管理情報１１１（図４）のログイン状況４０４をログイン中に変更し（９０２）、画面が作成されていない場合には、画面管理情報１１１（図４）に画面情報を登録する（９０３）。
【００４９】
次に、上記で取得した業務サービス名に対応する業務構成情報（業務要素）を業務構成情報１１３（図５）から取得し（９０４）、先に求めたデフォルト構成表示の情報中に業務構成表示が含まれているかどうかの判定を行い（９０５）、業務構成表示がデフォルト表示になっている場合には、前記取得した業務構成情報を表示する為の業務構成表示領域用の画面データをメモリ上に生成して出力装置により業務構成表示領域に表示する（９０６）。
【００５０】
次に、構成管理処理部１０３により業務構成情報１１３の論理要素関連情報と論理構成情報１１４（図６）を参照して、前記取得した業務構成情報に関連する論理構成情報（論理要素）を取得し（９０７）。先に求めたデフォルト構成表示の情報中に論理構成表示が含まれているかどうかの判定を行い（９０８）、論理構成表示がデフォルト表示となっている場合には、前記取得した論理構成情報を表示する為の論理構成表示領域用の画面データをメモリ上に生成して論理構成表示領域に表示する（９０９）。
【００５１】
また、メモリ上の画面データを参照して、業務構成表示領域が画面上に表示されているかのチェックを行い（９１０）、業務構成表示領域が表示されている場合には、その表示中の業務構成情報と論理構成情報との間の関連を示す関連線を画面上に表示する（９１１）。この時、一つの構成情報に対して、複数の構成情報が関連を持っている場合には、複数構成情報をグルーピングした形で表示し、関連線を画面上に表示する。
【００５２】
次に、構成管理処理部１０３により論理構成情報１１４のＩＰアドレスの情報と物理構成情報１１５（図７）を参照して、論理構成情報に関連する物理構成情報を取得し（９１２）、先に求めたデフォルト構成表示の情報中に物理構成表示が含まれているかどうかの判定を行い（９１３）、物理構成表示がデフォルト表示になっている場合には、前記取得した物理構成情報を表示する為の物理構成表示領域用の画面データをメモリ上に生成して物理構成表示領域に表示する（９１４）。
【００５３】
また、メモリ上の画面データを参照して、論理構成表示領域が画面上に表示されているかのチェックを行い（９１５）、論理構成表示領域が表示されている場合には、その表示中の論理構成情報と物理構成情報との間の関連を示す関連線を画面上に表示する（９１７）。
【００５４】
論理構成表示領域が表示されていない場合には、メモリ上の画面データを参照して、業務構成表示領域が表示されているかのチェックを行い（９１６）、業務構成表示領域が表示されている場合には、その表示中の業務構成情報と物理構成情報の関連線を画面上に表示する（９１７）。
この時、一つの構成情報に対して、複数の構成情報が関連を持っている場合には、複数構成情報をグルーピングした形で表示し、関連線を画面上に表示する。
【００５５】
次に、イベント画面表示処理（図１０）を行い（９１８）、画面出力した構成情報の表示属性を必要に応じて変更し、当該構成情報に該当するイベントのメッセージをイベントコンソール領域に表示する（９１９）。
【００５６】
図１０は本実施形態のイベント画面表示処理の概略を示す図である。画面制御処理部１０１の要求を受けると、イベント処理部１０４は、イベントＤＢ１１６に格納されているイベント情報の取得を行う（１００１）。
【００５７】
イベント情報を取得すると、イベントコンソール領域にイベントのメッセージを出力するかを判定する画面出力イベント選択処理（図１１）により、選択されたイベントのメッセージをイベントコンソール領域に表示する（１００２）。処理していないイベント情報がまだ存在するならば、ステップ１００２の処理を再度行い、イベントＤＢ１１６のイベント情報を全て処理するまで繰り返し行う（１００３）。イベントＤＢ１１６の全てのイベント情報を処理すると、処理を終了する。
【００５８】
図１１は本実施形態の画面出力イベント選択処理の概略を示す図である。イベント選択の要求を受け取ると、取得したイベント情報のイベント種別を参照し、そのイベントの種類が業務イベントか物理イベントかの判定を行う（１１０１）。ここで、業務イベントとは、業務アプリケーションやサービスに関するイベント情報のことであり、アプリケーションの起動や、処理の正常・異常終了等の情報を指している。また物理イベントとは、実際のITリソース（サーバ・ストレージ等）の起動・停止や、ＣＰＵ・メモリ・ＨＤＤ等の性能情報に関するイベント情報を指している。
【００５９】
取得したイベント情報が業務イベントの情報を示している場合、業務イベント取得処理（図１２）により、画面に表示されている構成情報の状態遷移・出力メッセージ表示を行い（１１０２）、取得したイベント情報が物理イベントの情報を示している場合、物理イベント取得処理（図１３）により、画面に表示されている構成情報の状態遷移・出力メッセージ表示を行う（１１０３）。
【００６０】
図１２は本実施形態の業務イベント取得処理の概略を示す図である。業務イベント取得処理では、メモリ上の画面データを参照して、該当する画面の業務構成表示領域が表示されているかどうかの判定を行い（１２０１）、表示されていない場合には処理を終了する。表示されている場合には、イベント情報のメッセージ中の業務構成情報の名称と表示中の業務構成情報の名称を比較して、その業務イベントが業務構成表示領域に表示されている業務構成情報に該当するイベントであるかどうかの判定を行い（１２０２）、該当する業務イベントではない場合には処理を終了する。また、該当する業務イベントである場合には、画面に表示されている業務構成情報の状態、すなわち表示色等の表示属性を変更する（１２０３）。
【００６１】
次に画面上で構成情報が選択されているかどうかの判定を行い（１２０４）、選択されていない場合には、ステップ１２０６の処理を行う。選択されている場合には、イベント情報のメッセージ中の業務構成情報の名称と表示中の業務構成情報の名称を比較して、当該業務イベントがその選択されている構成情報に関するイベントであるかどうかを判定し、該当しない場合には処理を終了する。また、該当する場合には、イベントコンソール領域に当該業務イベントのメッセージを表示して処理を終了する（１２０６）。
【００６２】
図１３は本実施形態の物理イベント取得処理の概略を示す図である。物理イベント取得処理では、メモリ上の画面データを参照して、該当する画面の物理構成表示領域が表示されているかどうかの判定を行う（１３０１）。
【００６３】
物理構成表示領域が表示されている場合（１３０１の「Yes」）には、イベント情報のメッセージ中の物理構成情報の名称と表示中の物理構成情報の名称を比較して、その物理イベントが、物理構成表示領域に表示されている物理構成情報に該当するイベントであるかどうかの判定を行い（１３０２）、該当しない場合には処理を終了する。該当する物理イベントである場合には、画面に表示されている物理構成情報の状態、すなわち表示色等の表示属性を変更する（１３０３）。次に論理構成表示領域が表示されているかどうかの判定を行い（１３０４）、表示されていない場合にはステップ１３１０の処理を行う。表示されている場合には、物理構成情報と関連のある論理構成情報の状態を変更する（１３０５）。
【００６４】
一方、物理構成表示領域が表示されていない場合（１３０１の「No」）には、論理構成表示領域が表示されているかどうかの判定を行い（１３０６）、表示されていない場合には処理を終了する。表示されている場合には、構成管理処理部１０３により論理構成情報１１４から表示中の論理構成情報に関連する物理構成情報の情報を取得し（１３０７）、前記物理イベントがその取得した物理構成情報に該当するイベントであるかどうかの判定を行い（１３０８）、該当しない場合には処理を終了する。該当する場合には、その物理構成情報と関連のある論理構成情報の状態を変更する（１３０９）。
【００６５】
次に画面上で構成情報が選択されているかどうかの判定を行い（１３１０）、構成情報が選択されている場合には、前記物理イベントが、その選択されている構成情報のイベントであるかどうかの判定を行い（１３１１）、選択されている構成情報のイベントで無い場合には、処理を終了する。選択されている構成情報のイベントである場合には（１３１１）選択構成情報が論理構成情報か物理構成情報かのチェックを行い（１３１２）、物理構成情報の場合には、ステップ１３１６の処理を行う。論理構成情報の場合には、イベント発生元をその論理構成情報の名称に変換して（１３１５）、ステップ１３１６の処理を行う。
【００６６】
構成情報が選択されていない場合には、ユーザの表示メッセージ優先度から物理・論理のどちらのイベントのメッセージを出力するかを判定し（１３１３）、物理優先である場合には、ステップ１３１５の処理を行う。論理優先である場合には、イベント発行元を論理名に変換して（１３１５）、ステップ１３１６の処理を行い、イベント情報をイベントコンソール領域に出力する（１３１６）。ここで、前記表示メッセージ優先度は予めメモリや磁気ディスク装置等に格納されているものとする。
以上の処理により、イベント情報をイベントコンソール領域に出力するかどうかを選択することが出来る。
【００６７】
図１４は本実施形態の画面表示領域の変更処理の詳細を示す図である。表示領域の変更要求を受け取ると、その変更要求の内容を調べ、要求があった構成表示領域が何かを判定する（１４０１）。そして、その変更要求が業務構成表示領域に関する要求である場合には、その変更要求が領域の追加要求か削除要求かを判定し（１４０２）、追加要求である場合には、業務構成表示領域追加処理を行い、業務構成表示領域及び該当メッセージを画面上に表示する（１４０５）。また、前記変更要求が削除要求である場合には業務構成表示領域削除処理を行い、業務構成表示領域及び該当メッセージを画面上から削除する（１４０６）。
【００６８】
一方、前記変更要求が論理構成表示領域に関する要求である場合には、その変更要求が領域の追加要求か削除要求かを判定し（１４０３）、追加要求である場合には、論理構成表示領域追加処理を行い、論理構成表示領域及び該当メッセージを画面上に表示する（１４０７）。また、前記変更要求が削除要求である場合には論理構成表示領域削除処理を行い、論理構成表示領域及び該当メッセージを画面上から削除する（１４０８）。
【００６９】
そして、前記変更要求が物理領域に関する要求である場合には、その変更要求が領域の追加要求か削除要求かを判定し（１４０４）、追加要求である場合には、物理構成表示領域追加処理を行い、物理構成表示領域及び該当メッセージを画面上に表示する（１４０９）。また、前記変更要求が削除要求である場合には物理構成表示領域削除処理を行い、物理構成表示領域及び該当メッセージを画面上から削除する（１４１０）。
【００７０】
次に、領域変更の要求が他にあるかを判定し（１４１１）、領域変更の要求が他にある場合には、ステップ１４０１からの処理を再度行う。領域変更の要求が他にない場合には処理を終了する。
【００７１】
図１５は本実施形態の業務構成表示領域追加処理の流れを示す図である。業務構成表示領域追加の要求を受けると、構成管理処理部１０３により業務構成情報１１３を参照して業務サービス名から業務構成情報を取得し（１５０１）、業務構成表示領域を作成して業務構成情報を出力し（１５０２）、論理構成表示領域が表示されているかのチェックを行う（１５０４）。
【００７２】
論理構成表示領域が表示されている場合には、業務構成情報と論理構成情報の関連線を出力し（１５０５）、ステップ１５０９の処理を行う。論理構成表示領域が表示されていない場合には、構成管理処理部１０３により物理構成情報１１５から論理構成情報に関連する物理構成情報を取得し（１５０６）、物理構成表示領域が表示されているかのチェックを行う（１５０７）。物理構成表示領域が表示されている場合には、業務構成情報と物理構成情報の関連線を出力し（１５０９）、ステップ１５０９の処理を行う。
【００７３】
次に、出力されている構成情報に対して、イベント画面表示処理を行い（１５０９）、イベントコンソール領域にイベント情報を出力する。
【００７４】
図１６は本実施形態の論理構成表示領域追加処理の流れを示す図である。論理構成表示領域追加の要求を受けると、構成管理処理部１０３により業務構成情報１１３を参照して業務サービス名から業務構成情報を取得し（１６０１）、構成管理処理部１０３により論理構成情報１１４を参照してその業務構成情報に関連する論理構成情報を取得し（１６０２）、論理構成表示領域を作成して論理構成情報を出力し（１６０３）、業務構成表示領域が表示されているかのチェックを行う（１６０４）。
【００７５】
業務構成表示領域が表示されていない場合には、ステップ１６０６の処理を実行する。業務構成表示領域が表示されている場合には、業務構成情報と論理構成情報の関連線を出力し（１６０５）、ステップ１６０６の処理を実行する。
【００７６】
ステップ１６０６では、物理構成表示領域が表示されているかのチェックを行い、物理構成表示領域が表示されていない場合にはステップ１６０８の処理を実行する。物理構成表示領域が表示されている場合には、論理構成情報と物理構成情報の関連線を出力し（１６０７）ステップ１６０８の処理を実行する。
【００７７】
ステップ１６０８では出力されている構成情報に対して、イベント画面表示処理（図１０）を行い、イベントコンソールにイベント情報を出力する。
【００７８】
図１７は本実施形態の物理構成表示領域追加処理の流れを示す図である。物理領域追加の要求を受けると、構成管理処理部１０３により業務構成情報１１３を参照して業務サービス名から業務構成情報を取得し（１７０１）、構成管理処理部１０３により論理構成情報１１４からその業務構成情報に関連する論理構成情報を取得し（１７０２）、更に構成管理処理部１０３により物理構成情報１１５からその論理構成情報に関する物理構成情報を取得し（１７０３）、物理構成表示領域を作成して物理構成情報を出力し（１７０４）、論理構成表示領域が表示されているかのチェックを行う（１７０５）。
【００７９】
論理構成表示領域が表示されている場合、論理構成情報と物理構成情報の関連線を出力し（１７０６）、ステップ１７０９の処理を行う。
【００８０】
論理構成表示領域が表示されていない場合には、業務構成表示領域が表示されているかのチェックを行い（１７０７）、業務構成表示領域が表示されている場合には、業務構成情報と物理構成情報の関連線を出力し（１７０８）、ステップ１７０９の処理を行う。
【００８１】
ステップ１７０９では出力されている構成情報に対して、イベント画面表示処理（図１０）を行い、イベントコンソールにイベント情報を出力する。
【００８２】
図１８は本実施形態の業務構成表示領域削除処理の流れを示す図である。業務構成表示領域削除の要求を受けると、業務構成表示領域を画面から削除し（１８０１）、論理構成表示領域が表示されているかのチェックを行う（１８０２）。
【００８３】
論理構成表示領域が表示されている場合には、業務構成情報と論理構成情報の関連線を削除する（１８０３）。論理構成表示領域が表示されていない場合には物理構成表示領域が表示されているかのチェックを行い（１８０４）、物理構成表示領域が表示されている場合には、業務構成情報と物理構成情報の関連線を削除する（１８０５）。次に業務構成情報に該当するイベントをイベントコンソール領域から削除し（１８０６）、処理を終了する。
【００８４】
図１９は本実施形態の論理構成表示領域削除処理の流れを示す図である。論理構成表示領域削除の要求を受けると、論理構成表示領域を画面から削除し（１９０１）、業務構成表示領域が表示されているかのチェックを行う（１９０２）。
【００８５】
業務構成表示領域が表示されている場合には、業務構成情報と論理構成情報の関連線を削除し（１９０３）、物理構成表示領域が表示されているかのチェックを行う（１９０４）。物理構成表示領域が表示されている場合には、論理構成情報と物理構成情報の関連線を削除する（１９０５）。次に論理構成情報に該当するイベントをイベントコンソール領域から削除し（１９０６）、処理を終了する。
【００８６】
図２０は本実施形態の物理構成表示領域削除処理の流れを示す図である。物理構成表示領域削除の要求を受けると、物理構成表示領域を画面から削除し（２００１）、論理構成表示領域が表示されているかのチェックを行う（２００２）。
【００８７】
論理構成表示領域が表示されている場合には、論理構成情報と物理構成情報の関連線を削除する（２００３）。論理構成表示領域が表示されていない場合には業務構成表示領域が表示されているかのチェックを行う（２００４）。業務構成表示領域が表示されている場合には、業務構成情報と物理構成情報の関連線を削除する（２００５）。次に物理イベントに該当するイベントをイベントコンソール領域から削除し（２００６）、処理を終了する。
【００８８】
図２１は本実施形態の選択構成情報のイベントフィルタリング処理の詳細を示す図である。構成情報が選択されると、イベント画面表示処理（図１０）を行い、該当イベントを取得し（２１０１）、該当イベントのメッセージをイベントコンソール領域に表示する（２１０２）。
【００８９】
ここではイベントＤＢ１１６から毎回イベントを取得するフローになっているが、画面出力構成情報に関連のあるイベントを取得後、キャッシュ情報としてイベントを保持し、選択要求を受けると、キャッシュの中から該当するイベントの検索を行う形でも良い。
【００９０】
図２２は本実施形態のイベント画面表示処理の詳細を示す図である。イベント受信要求を受け取ると、イベント情報に含まれているイベント種別の判定を行う（２２０１）。
【００９１】
前記判定したイベント種別が物理イベントの場合には、そのイベントに該当する物理構成情報を検索し（２２０２）、構成管理処理部１０３により、その物理構成情報を使用している業務構成情報を検索し（２２０３）、ステップ２２０５の処理を行う。イベントが業務イベントの場合には、そのイベントに該当する業務構成情報を検索し（２２０４）、ステップ２２０５の処理を行う。
【００９２】
ステップ２２０５では、構成管理処理部１０３により業務構成情報１１３を参照して業務構成情報から業務サービス名を取得し（２２０５）、画面制御処理部１０１により画面管理情報１１１を参照して、前記業務サービス名に該当する表示を行っている画面で、なおかつユーザがログイン中である画面情報を取得する（２２０６）。次に画面出力イベントの選択処理（図１１）を行い、イベントコンソール領域にイベントのメッセージを出力する（２２０７）。
【００９３】
また、イベントに該当する画面が、更に存在する場合には、ステップ２２０７の処理を繰り返し行い（２２０８）、イベントに該当する業務サービスが、更にある場合には、ステップ２２０６の処理を繰り返し行い（２２０９）、該当する業務サービスを全て処理した場合には、処理を終了する。
【００９４】
図２３は本実施形態のイベント処理部１０４の詳細を示す図である。イベント処理部１０４は、起動すると、イベントＤＢ１１６の処理プログラムの起動を行い（２３０１）、要求が来るまで待機する（２３０２）。
【００９５】
要求を受け取ると、その要求内容により処理を振り分ける。要求には、「イベント受信要求」と「イベント検索要求」と「状態イベント要求」があり、「イベント受信要求」を受け取ると、イベント受信処理（図２４）を行い、画面制御処理部１０１にイベントを転送する処理を行う（２３０４）。「イベント検索要求」を受け取ると、イベント検索処理（図２５）を行い、イベントＤＢ１１６に登録されているイベントログを要求元に返す処理を行う（２３０５）。「状態イベント要求」を受け取ると、状態イベントの要求処理（図２６）を行い、エージェントに状態通知イベントの発行を要求する（２３０６）。また終了要求を受け取ると、ループを抜け、処理を終了する。
【００９６】
図２４は本実施形態のイベント受信処理の詳細を示す図である。イベント受信要求を受け取ると、受信したイベントの情報をイベントＤＢ１１６に格納し（２４０１）、画面制御処理部１０１にイベントを転送し（２４０２）、処理を終了する。
【００９７】
図２５は本実施形態のイベント検索処理の詳細を示す図である。イベント検索要求を受け取ると、イベントＤＢ１１６に登録されているイベントログの取得を行い（２５０１）、要求元にイベント情報を渡し（２５０２）、処理を終了する。
【００９８】
図２６は本実施形態の状態イベント要求処理の詳細を示す図である。構成情報の状態イベント要求を受けると、構成管理処理部１０３に該当構成情報の送信元エージェント情報を問い合わせ（２６０１）、受け取ったエージェント情報を元に、通信処理部１０５を通して、構成情報に対して、状態通知イベントの発行を要求し（２６０２）、処理を終了する。
【００９９】
図２７は本実施形態の画面制御処理部１０１における、ログアウト処理(８０８)の概略を示す図である。ユーザのログアウト要求を受け取ると、画面管理情報１１１のログイン状況４０４を「ログアウト中」に設定する。次に現在開かれている構成表示領域をユーザ管理情報１１２のデフォルト値に設定し、処理を終了する。これにより次回ログオン時には、ログアウト時の構成表示領域が画面上に表示される。
【０１００】
以上説明した様に、本実施形態によれば、ユーザ視点で画面の表示が可能で、レイヤ切り替えにより、見たい画面を瞬時に切り替えることが可能となる。また画面が切り替わると自動的に該当するイベントのみのフィルタリングを行うとともに、新たに発生したイベントについても自動的に該当する画面へ通知することができるため、イベントによる業務影響範囲の切り分けが容易になる。
【０１０１】
前記の様に本実施形態の情報表示システムによれば、業務に対応する業務構成情報、論理構成情報及び物理構成情報を、それぞれ出力領域内の業務構成表示領域、論理構成表示領域及び物理構成表示領域に表示するので、複数の業務を実行する計算機システムで障害が発生した場合に、その内容の把握や障害による影響範囲の把握を効率的に行うことが可能である。
【図面の簡単な説明】
【０１０２】
【図１】本実施形態の情報表示システムの全体構成を示す図である。
【図２】本実施形態のクライアント１３０に出力する画面の画面構成を示す図である。
【図３】本実施形態のユーザ管理情報１１２の詳細を示す図である。
【図４】本実施形態の画面管理情報１１１の詳細を示す図である。
【図５】本実施形態の業務構成情報１１３の詳細を示す図である。
【図６】本実施形態の論理構成情報１１４の詳細を示す図である。
【図７】本実施形態の物理構成情報１１５の詳細を示す図である。
【図８】本実施形態の画面制御処理部１０１における外部要求に対する処理の詳細を示す図である。
【図９】本実施形態の画面制御処理部１０１におけるログイン要求処理(８０４)の概略を示す図である。
【図１０】本実施形態のイベント画面表示処理の概略を示す図である。
【図１１】本実施形態の画面出力イベント選択処理の概略を示す図である。
【図１２】本実施形態の業務イベント取得処理の概略を示す図である。
【図１３】本実施形態の物理イベント取得処理の概略を示す図である。
【図１４】本実施形態の画面表示領域の変更処理の詳細を示す図である。
【図１５】本実施形態の業務構成表示領域追加処理の流れを示す図である。
【図１６】本実施形態の論理構成表示領域追加処理の流れを示す図である。
【図１７】本実施形態の物理構成表示領域追加処理の流れを示す図である。
【図１８】本実施形態の業務構成表示領域削除処理の流れを示す図である。
【図１９】本実施形態の論理構成表示領域削除処理の流れを示す図である。
【図２０】本実施形態の物理構成表示領域削除処理の流れを示す図である。
【図２１】本実施形態の選択構成情報のイベントフィルタリング処理の詳細を示す図である。
【図２２】本実施形態のイベント画面表示処理の詳細を示す図である。
【図２３】本実施形態のイベント処理部１０４の詳細を示す図である。
【図２４】本実施形態のイベント受信処理の詳細を示す図である。
【図２５】本実施形態のイベント検索処理の詳細を示す図である。
【図２６】本実施形態の状態イベント要求処理の詳細を示す図である。
【図２７】本実施形態の画面制御処理部１０１における、ログアウト処理(８０８)の概略を示す図である。
【図２８】本実施形態の「業務サービス名=勤休システム」の監視を行うユーザが、レイヤ切り替え領域の「業務構成」を選択した場合の画面表示例を示す図である。
【図２９】本実施形態の図２８のユーザが表示レイヤ切り替え領域２０５の「業務構成」と「論理構成」を選択した場合の画面表示例を示す図である。
【図３０】本実施形態の図２９のユーザが表示レイヤ切り替え領域２０５の「業務構成」と「論理構成」と「物理構成」を選択した場合の画面表示例を示す図である。
【図３１】本実施形態の構成情報が選択された場合の画面表示例を示す図である。
【図３２】本実施形態の業務プログラム自身が異常終了したときの例を示す図である。
【図３３】本実施形態の物理的な障害が起こったことにより、業務プログラムが異常終了した時の例を示す図である。
【図３４】本実施形態のイベントＤＢ１１６のデータ例を示す図である。
【符号の説明】
【０１０３】
１００…管理コンピュータ、１０１…画面制御処理部、１０２…ユーザ管理処理部、１０３…構成管理処理部、１０４…イベント処理部、１０５…通信処理部、１１１…画面管理情報、１１２…ユーザ管理情報、１１３…業務構成情報、１１４…論理構成情報、１１５…物理構成情報、１１６…イベントＤＢ、１２０…業務コンピュータ、１２１…エージェント、１２２…業務ＡＰ制御部、１２３…監視対象、１３０…クライアント、２０１…業務構成表示領域、２０２…論理構成表示領域、２０３…物理構成表示領域、２０４…イベントコンソール領域、２０５…表示レイヤ切り替え領域、２０６…構成情報一覧表示領域、２０７…業務構成情報、２０８…論理構成情報、２０９…物理構成情報、３０１…ユーザ名、３０２…業務構成表示、３０３…論理構成表示、３０４…物理構成表示、３０５…構成種別、３０６…対象業務、４０１…画面ＩＤ、４０２…業務サービス名、４０３…ユーザ／グループ名、４０４…ログイン状況、５０１…業務サービス名、５０２…業務構成、５０３…業務要素ＩＤ、５０４…業務構成要素、５０５…業務要素関連情報、５０６…論理要素関連情報、６０１…論理要素ＩＤ、６０２…論理サーバ名、６０３…業務ＡＰ制御名、６０４…業務ＡＰ名、６０５…ＩＰアドレス、６０６…論理要素関連情報、７０１…ホスト名、７０２…ＩＰアドレス、７０３…エージェント処理有無フラグ、７０４…業務ＡＰ制御名、７０５…クラスタ情報、７０６…状態。
【図１】
0004804139.tif 000002
【図２】
0004804139.tif 000003
【図３】
0004804139.tif 000004
【図４】
0004804139.tif 000005
【図５】
0004804139.tif 000006
【図６】
0004804139.tif 000007
【図７】
0004804139.tif 000008
【図８】
0004804139.tif 000009
【図９】
0004804139.tif 000010
【図１０】
0004804139.tif 000011
【図１１】
0004804139.tif 000012
【図１２】
0004804139.tif 000013
【図１３】
0004804139.tif 000014
【図１４】
0004804139.tif 000015
【図１５】
0004804139.tif 000016
【図１６】
0004804139.tif 000017
【図１７】
0004804139.tif 000018
【図１８】
0004804139.tif 000019
【図１９】
0004804139.tif 000020
【図２０】
0004804139.tif 000021
【図２１】
0004804139.tif 000022
【図２２】
0004804139.tif 000023
【図２３】
0004804139.tif 000024
【図２４】
0004804139.tif 000025
【図２５】
0004804139.tif 000026
【図２６】
0004804139.tif 000027
【図２７】
0004804139.tif 000028
【図２８】
0004804139.tif 000029
【図２９】
0004804139.tif 000030
【図３０】
0004804139.tif 000031
【図３１】
0004804139.tif 000032
【図３２】
0004804139.tif 000033
【図３３】
0004804139.tif 000034
【図３４】
0004804139.tif 000035